(57)【特許請求の範囲】
【請求項１】
トレッド踏面に、トレッド周方向に延びる複数本の周溝および、該周溝間でトレッド幅方向に延びる横溝により画成される複数のブロックからなるブロック列を設け、一列以上のブロック列のブロックに、両端がともにブロック内で終端する少なくとも一本のクローズドサイプを形成してなる空気入りタイヤであって、
クローズドサイプを形成した前記ブロックに、前記横溝に開口するとともに、ブロック踏面から、ブロック高さの半分以上、かつ、ブロック高さ未満の深さまで窪み、前記クローズドサイプと交わらず、路面接地域で閉塞しない一個以上の凹部を、少なくとも一方の横溝に隣接させて設け、
前記凹部を設けた前記ブロックは、前記トレッド踏面の平面視で前記凹部を設けた横溝側の前記ブロックの縁部に立てた法線と、前記トレッド周方向とのなす角が３０°以下であり、
前記凹部の深さは、該凹部の前記横溝への開口幅よりも大きく、かつ、該凹部のトレッド周方向の最大長さよりも大きい空気入りタイヤ。
【請求項２】
前記ブロックに設けた凹部とクローズドサイプとのそれぞれの、トレッド周方向の最近接位置での相互の離隔距離を、凹部のトレッド周方向の長さ以上としてなる請求項１に記載の空気入りタイヤ。
【請求項３】
前記ブロックに設けたクローズドサイプを、ジグザグ状ないしは波線状に延在させ、前記クローズドサイプの折れ曲がり部の谷部側で、該折れ曲がり部の折れ曲がり角の二等分線上に、前記凹部を配置してなる請求項１もしくは２に記載の空気入りタイヤ。
【請求項４】
前記ブロックに設けたクローズドサイプを、ジグザグ状ないしは波線状に延在させ、前記クローズドサイプの端部の延長線と、ブロックの、隣接する周溝に臨む側縁とのなす角の二等分線上に、前記凹部を配置してなる請求項１〜３のいずれかに記載の空気入りタイヤ。
【請求項５】
前記ブロックに設けたクローズドサイプを、該ブロックに隣接する少なくとも一方の横溝と平行に直線状に延在させてなる請求項１もしくは２に記載の空気入りタイヤ。
【発明の詳細な説明】
【技術分野】
【０００１】
この発明は、トレッド踏面に、トレッド周方向に延びる複数本の周溝および、それらの周溝間でトレッド幅方向に延びる横溝により画成される複数のブロックからなるブロック列を設けた空気入りタイヤ、なかでも、セミトレーラ等に用いて好適な重荷重用タイヤに関し、とくに、氷雪路面での、制動性能、操縦安定性等のタイヤの走行性能を向上させる技術を提案するものである。
【背景技術】
【０００２】
たとえばスタッドレスタイヤ等の、氷雪路面上で使用に供されるこの種の空気入りタイヤでは、特許文献１に記載されたもののように、トレッド踏面に設けた周溝と横溝とによって画成される複数のブロックに、それらの周溝や横溝に比して溝幅の小さいサイプを形成することで、ブロック剛性の低下に基き、氷雪路面でのブロックの大きな接地面積を確保するとともに、サイプに、氷雪路面に対する引掻き機能、すなわちエッジ効果を発揮させて、氷雪上性能を確保することが一般に行われている。
このような、ブロックに形成するサイプとしては、両端が、ブロックを画成する横溝ないしは周溝に開口するまで延在させたオープンサイプや、両端がそのブロック内で終端するクローズドサイプがあり、また、ジグザグ形状、波線形状等の形態で延在するものがある。
【０００３】
ところで、サイプのエッジ効果に基く、氷雪上性能の向上を目的として、ブロックに、とくに複数本のオープンサイプを設けた場合は、両端が周溝等に開口するオープンサイプによって、ブロックが、さらに小さいブロック部分に区画されることから、周方向剪断剛性の小さいブロック部分に、タイヤ負荷転動に伴う偏摩耗が生じて、各々のブロック部分の接地面積が減少する結果、氷雪上性能を高めることができないのみならず、タイヤの負荷転動に当って、剪断剛性の小さい小ブロックそれ自体が欠け落ちるおそれがあった。
また、ブロックに、一端のみが周溝等に開口するサイプを形成した場合にも、サイプが開口端を有することから、ブロックの周方向剪断剛性の低下を招くとともに、タイヤの負荷転動に際し、サイプの開口端付近にクラックが生じ易くなるという問題があった。
【０００４】
そこで、すぐれた氷雪上性能を発揮させるために、ブロックにクローズドサイプを形成し、かかるクローズドサイプの形成に起因するブロック周方向剪断剛性の低下に対しては、相互に隣接する横溝間の距離を大きくすることで、ブロックのトレッド周方向長さを長くして、ブロック剛性の増大を図ることが行われている。
【先行技術文献】
【特許文献】
【０００５】
【特許文献１】特開２００９−１９６５２７号公報
【発明の概要】
【発明が解決しようとする課題】
【０００６】
しかるに、トレッド周方向のブロック長さを長くした場合は、周方向剪断剛性の低下に起因するブロックの偏摩耗や欠け落ちは防止できるものの、ブロックの周方向剪断剛性のみならず圧縮剛性もまた増大することから、接地荷重の作用に伴うブロックの圧縮変形量が小さくなって、ブロック接地面積を、所期したほどに増大させることができず、それ故に、タイヤの氷雪上性能を大きく高めることはできなかった。
【０００７】
この発明は、従来技術が抱えるこのような問題を解決することを課題とするものであり、それの目的とするところは、トレッド踏面で、周溝と横溝とにより画成されるブロックに、少なくとも一本のクローズドサイプを形成してなる空気入りタイヤにおいて、偏摩耗に起因するブロック接地面積の低下を防止するために、ブロックのトレッド周方向長さを長くした場合であっても、ブロックの大きな圧縮変形を可能とし、十分な接地面積を確保して、すぐれた氷雪上性能を発揮させることができる空気入りタイヤを提供するにある。
【課題を解決するための手段】
【０００８】
この発明の空気入りタイヤは、トレッド踏面に、トレッド周方向に延びる複数本の周溝および、該周溝間でトレッド幅方向に延びる横溝により画成される複数のブロックからなるブロック列を設け、一列以上のブロック列のブロックに、両端がともにブロック内で終端する少なくとも一本のクローズドサイプを形成してなるものであって、クローズドサイプを形成した前記ブロックに、前記横溝に開口するとともに、ブロック踏面から、ブロック高さの半分以上、かつ、ブロック高さ未満の深さまで窪み、前記クローズドサイプと交わらず、路面接地域で閉塞しない一個以上の凹部を、少なくとも一方の横溝に隣接させて設け、前記凹部を設けた前記ブロックは、前記トレッド踏面の平面視で前記凹部を設けた横溝側の前記ブロックの縁部に立てた法線と、前記トレッド周方向とのなす角が３０°以下であり、前記凹部の深さは、該凹部の前記横溝への開口幅よりも大きく、かつ、該凹部のトレッド周方向の最大長さよりも大きいものである。
【０００９】
なおここで、「路面接地域」とは、タイヤが生産され、使用される地域に有効な産業規格であって、日本ではＪＡＴＭＡ（日本自動車タイヤ協会）ＹＥＡＲ  ＢＯＯＫ、欧州ではＥＴＲＴＯ（Ｅｕｒｏｐｅａｎ  Ｔｙｒｅ  ａｎｄ  Ｒｉｍ  Ｔｅｃｈｎｉｃａｌ  Ｏｒｇａｎｉｓａｔｉｏｎ）  ＳＴＡＮＤＡＲＤＳ  ＭＡＮＵＡＬ、米国ではＴＲＡ（ＴＨＥ  ＴＩＲＥ  ａｎｄ  ＲＩＭ  ＡＳＳＯＣＩＡＴＩＯＮ  ＩＮＣ．）ＹＥＡＲ  ＢＯＯＫ等に規定されたリムに、タイヤを組み付けて、それらの規格に、タイヤサイズに応じて規定された最高空気圧を充填した状態の下で、タイヤサイズに応じて規定された最大負荷能力を負荷したときの接地域をいうものとする。
そして、ここでいう「周溝」や「横溝」には、路面接地域で、対向する溝壁どうしが接触する溝幅の細溝が含まれるものとする。
【００１０】
ここで好ましくは、前記ブロックに設けた凹部とクローズドサイプとのそれぞれの、トレッド周方向の最近接位置での相互の離隔距離を、凹部のトレッド周方向の長さ以上とする。
【００１１】
また好ましくは、前記ブロックに設けたクローズドサイプを、ジグザグ状ないしは波線状に延在させ、前記クローズドサイプの折れ曲がり部の谷部側で、該折れ曲がり部の折れ曲がり角の二等分線上に、前記凹部を配置する。
【００１２】
この場合において、前記クローズドサイプの端部位置では、その端部の延長線と、ブロックの、隣接する周溝に臨む側縁とのなす角の二等分線上に、凹部を配置することが好ましい。
【００１３】
そしてまた好ましくは、前記ブロックに設けたクローズドサイプを、該ブロックに隣接する少なくとも一方の横溝と平行に直線状に延在させる。
【発明の効果】
【００１４】
この発明の空気入りタイヤによれば、クローズドサイプを形成したブロックに、隣接する横溝に開口するとともに、ブロック表面から、ブロック高さの半分以上まで窪む、路面接地域で閉塞しない一個以上の凹部を設けたことにより、接地荷重の作用に伴いブロックが圧潰変形するに際し、ブロックを構成するゴム部分が、前記凹部に逃げ変形することになって、ブロックの圧縮剛性が低下することから、周方向剪断剛性の増加を目的として、トレッド周方向のブロック長さを長くした場合であっても、ブロックの接地面積を増加させることができるので、ブロックの偏摩耗や駆け落ちを防止してなお、氷雪路面での、タイヤの操縦安定性等を効果的に向上させることができる。
しかも、凹部の形成により、ブロック表面での排水距離が短くなって、タイヤの走行に当って、氷雪路面上の薄い水膜は、ブロックの、路面接地域で閉塞しない凹部からすみやかに排水されるため、排水性能をも高めることができ、これがため、すぐれた氷雪上性能を発揮させることができる。
【００１５】
また、このタイヤでは、横溝に開口する凹部の周縁により、タイヤの負荷転動の際のトレッド幅方向への横滑りの抑制に寄与する、ブロック内のエッジの周方向成分が増加することになるので、操縦安定性がさらに向上することになる。
【００１６】
ここにおいて、ブロックに設けた凹部とクローズドサイプとのそれぞれの、トレッド周方向の最近接位置での相互の離隔距離を、凹部のトレッド周方向の長さ以上としたときは、タイヤ負荷転動時のブロックへの損傷を防止した上で、上述したように、ブロックへの凹部の形成に基いて、タイヤの氷雪上性能を高めることが可能となる。
すなわち、凹部とクローズドサイプとの相互離隔距離を、凹部のトレッド周方向の長さ未満とした場合は、ブロック内で、凹部とクローズドサイプとが接近し過ぎることに起因して、これらの間のブロック領域で、クラックが生じるおそれがあることによる。
【００１７】
ところで、ブロックに設けたクローズドサイプを、ジグザグ状ないしは波線状に延在させた場合は、前記凹部を、クローズドサイプの折れ曲がり部の谷部側で、且つ、その折れ曲がり部の折れ曲がり角の二等分線上に配置することにより、凹部とクローズドサイプとの離隔距離を大きくすることができるので、前述したような、これらの間のブロック領域へのクラックの発生を有効に防止することができる。
なおここで、ジグザグ状ないしは波線状のクローズドサイプの端部に近接する箇所に、前記凹部を設ける場合は、その端部の延長線と、ブロックの、隣接する周溝に臨む側縁とのなす角の二等分線上に、凹部を配置することで、凹部とクローズドサイプとを十分に離隔させることができる。
そしてまた、このように凹部を配置することにより、凹部と、クローズドサイプの、折れ曲がり部を隔てた二つの直線部のそれぞれとの距離が等しくなって、ブロック表面で、部分的に排水距離の長い領域が形成されなくなるので、氷雪上路面でのタイヤの排水性能をより一層高めることができる。
【００１８】
この一方で、ブロックに設けたクローズドサイプは、ブロックに隣接する少なくとも一方の横溝と平行に直線状に延在させることもでき、この場合は、直線状クローズドサイプの延在方向で、そのサイプと凹部とが局部的に近接する箇所が存在しないので、凹部とクローズドサイプとの間の領域への前記クラックの発生のおそれを有利に取り除くことができる。
【図面の簡単な説明】
【００１９】
【図１】この発明の一の実施形態を示すトレッドパターンの部分展開図である。
【図２】図１に示すＩＩ−ＩＩ線に沿う断面図である。
【図３】図１のトレッドパターンの一のブロックを拡大して示す図である。
【図４】他の実施形態を示す、図１と同様の図である。
【図５】図４のトレッドパターンの一のブロックおよび、その変形例を拡大して示す図である。
【図６】実施例タイヤ２のトレッドパターンを示す、図１と同様の図である。
【図７】従来例タイヤ１のトレッドパターンを示す、図１と同様の図である。
【図８】従来例タイヤ２のトレッドパターンを示す、図１と同様の図である。
【発明を実施するための形態】
【００２０】
以下に図面を参照しつつ、この発明の実施形態について説明する。
なお、図示は省略するが、各図に示す空気入りタイヤも、一般的なラジアルタイヤと同様に、一対のビードコアを配設したビード部からトロイド状に延びるカーカスと、そのカーカスのタイヤ径方向外側に配設したベルトおよび、トレッドゴム等とを具えてなるものである。
【００２１】
図中１は、トレッドゴムによって形成されるトレッド踏面を示し、図示の空気入りタイヤでは、トレッド踏面１に、トレッド周方向に延びる複数本、図では５本の周溝２〜４のそれぞれを、トレッド幅方向に相互に所要の間隔をおいて、トレッド踏面１の全周にわたって連続させて設ける。
なお、図に示すところでは、トレッドセンターＣ付近をトレッド周方向に延びる周溝を、ジグザグ状の細溝４とし、その他の周溝２、３をいずれも、周溝４よりも溝幅の広い略直線形状としたが、これらの周溝２〜４は、所要に応じて、直線形状、ジグザグ形状、波線形状、湾曲形状などの様々な形状とすることが可能である。
【００２２】
ここでは、トレッド踏面端に最も近接して位置するそれぞれの周溝２と、トレッド周方向に所要の間隔をおいて形成されて、周溝２と、トレッド踏面端とのそれぞれに開口する横溝５とで画成される複数のショルダーブロック６により、ショルダーブロック列７を形成する。
またここで、周溝２と、この周溝２のトレッド幅方向内側でトレッド周方向に延在する周溝３と間に、トレッド幅方向に対して幾分傾斜して延びる、横溝としての細溝８ａ、８ｂおよび、それより広幅の横溝９のそれぞれを設けて、大きさが異なるブロック１０ａ、１０ｂを複数画成し、これらのブロック１０ａ、１０ｂでセカンドブロック列１１を構成する。
【００２３】
そしてまた、周溝３と、トレッドセンターＣ位置のジグザグ周溝４とを、溝幅の異なる大小二種類の横溝１２ａ、１２ｂおよび１３で連通させることによって画成される複数のブロック１４ａ、１４ｂで、センターブロック列１５を構成する。
なお、横溝５、９、１３のそれぞれには、図１、２に示すように、画成される各ブロックの、トレッド周方向および幅方向の剛性を高めるため、溝底を盛り上げてなる、ブロック相互の連結部１６を形成することができる。
【００２４】
ここにおいて、この発明では、以上に述べたような、周溝２〜４と横溝８ａ、８ｂ、９、１２ａ、１２ｂ、１３とのそれぞれにより画成される各ブロック、すなわち、ショルダーブロック列７を除く、セカンドおよびセンターブロック列１１、１５を構成する各ブロック１０ａ、１４ａに、たとえば、各々のブロック１０ａ、１４ａに隣接する横溝の延在方向と平行に延びる一本以上、図では一本のクローズドサイプ１７を設け、両端がブロック内で終端するこのクローズドサイプ１７により、所要のブロック剛性を確保しつつ、サイプ１７のエッジ効果によって、タイヤの氷雪上性能の向上を図る。
【００２５】
ところで、クローズドサイプ１７は、図１に示すような、横溝と平行に延びる直線状のものだけに限定されることはなく、図示は省略するが、たとえば、横溝の延在方向に対して傾斜する形態で形成することができる他、後述するようなジグザグ状、波線状等の種々の形状とすることもできる。
なおここで、図１に示すパターンでは、各ショルダーブロック６に、一端だけが周溝２に開口する三本のサイプを設けているが、ショルダーブロック６に形成したこれらのサイプは、この発明に必須の構成ではない。
【００２６】
上記のように、各ブロック１０ａ、１４ａにクローズドサイプ１７を形成すると、オープンサイプを形成した場合ほどではないものの、ブロック１０ａ、１４ａの周方向剪断剛性が低下することになるので、周方向剪断剛性の低下に起因するブロックの偏摩耗や欠け落ちのおそれを取り除くことを目的として、トレッド周方向のブロック長さを長くすることが行われているが、この場合は、ブロックの圧縮剛性の増大を招く結果として、タイヤの負荷転動時に、ブロックの接地面積を十分大きくすることができなくなるので、タイヤの氷雪上性能を有効に向上させることができない。
【００２７】
そこで、この発明の空気入りタイヤでは、クローズドサイプ１７を形成したブロック１０ａ、１４ａのそれぞれに、たとえば広幅な横溝９、１３に開口するとともに、ブロック表面からタイヤ半径方向内側に窪む、路面接地域で閉塞しない、図では略半長円形の平面輪郭形状の二個の凹部１８を設ける。
なお、凹部は、各ブロックに一個以上形成することができ、また、矩形、多角形等の様々な平面輪郭形状とすることが可能である。
【００２８】
このことによれば、タイヤの負荷転動時に、ブロック１０ａ、１４ａが、路面からの接地圧の作用によって圧潰変形されるに際し、ブロックを構成するゴム部分の、凹部１８への逃げ変形に基き、ブロック１０ａ、１４ａが大きく圧縮変形されることになるので、ブロック１０ａ、１４ａの大きな接地面積を確保して、氷雪路面上でのタイヤの操縦安定性等を効果的に高めることができ、併せて、路面接地域で閉塞しない凹部１８からの排水によって排水性能をもまた向上させ得ることから、タイヤの氷雪上性能が大きく向上することになる。
【００２９】
ここで、凹部１８は、ブロック１０ａ、１４ａを構成するゴム部分の逃げ代として有効に機能させるため、図２に、図１のＩＩ−ＩＩ線に沿う断面図で示すように、ブロック表面から、ブロック高さＨの半分以上の窪み深さＤを有するものとする。
これは、凹部１８の深さＤを、ブロック高さの半分未満とした場合は、凹部の深さが小さすぎることによって、タイヤの負荷転動時に、ブロックを構成するゴム部分の、凹部への逃げ変形が、ブロックの深さ方向で十分に行われず、それ故に、ブロックの接地面積を有効に増加させることができないためである。
【００３０】
またここで、図３に拡大図で示すように、ブロック１０ａ、１４ａに設ける凹部１８と、クローズドサイプ１７とのそれぞれの、トレッド周方向の最近接位置での離隔距離ｄは、凹部１８のトレッド周方向の最大長さＬ以上とすることが、これらの間のブロック領域へのクラックの発生を有効に防止できる点で好ましい。
なお、氷雪路面上の水膜の、ブロック表面での排水距離を十分短くして、凹部１８による排水性能をより向上させるとの観点からは、この離隔距離ｄを４Ｌ以下とすることが好ましい。
そしてまた、凹部１８を路面接地域で閉塞しないものとするためには、たとえば、凹部１８の、隣接横溝への開口幅Ｗを、２ｍｍ以上で、且つ、凹部１８のトレッド周方向の最大長さＬの２倍以下の範囲内とすることが好ましい。
【００３１】
なおここで、図３に例示するように、ブロック１０ａ、１４ａの、隣接する横溝に立てた法線（図に実線で示す）と、トレッド周方向（図に破線で示す）とのなす角θが３０°以下の場合は、接地荷重の作用による、ブロック１０ａ、１４ａの側面の膨出変形量が小さくなって、ブロック１０ａ、１４ａの接地面積が減少することから、ブロック１０ａ、１４ａに設けた凹部１８は、上記の角θを３０°以下としたときに、ゴム部分の逃げ代としてより効果的に機能することになる。
【００３２】
図４に示す、他の実施形態のトレッドパターンは、ブロック２０ａ、２４ａのそれぞれに、ジグザグ状のサイプ２７を設けたことを除いて、図１のパターンと同様の構成としたものである。
【００３３】
ブロック２０ａ、２４ａに形成した二個の凹部２８ａ、２８ｂのうち、一方の凹部２８ａの形成位置は、図５（ａ）に拡大図で示すように、クローズドサイプ２７の折れ曲がり部２７ａの谷部側、すなわち、折れ曲がり部２７ａの、クローズドサイプ２７からの離隔距離が長い隣接横溝９側で、折れ曲がり部２７ａの折れ曲がり角αの二等分線（図に一点鎖線で示す）上とすることが好ましい。
かかる凹部２８ａを、このような配置とすることで、凹部２８ａとクローズドサイプ２７との離隔距離を十分大きくすることができるので、これらの間のブロック領域へのクラックの発生を有効に防止することができる。
【００３４】
また、クローズドサイプ２７の端部２７ｂ側の位置に形成した他方の凹部２８ｂについては、凹部２８ｂとクローズドサイプ２７との間の大きな離隔距離を確保して、クラックの発生を防止するため、クローズドサイプ２７の端部２７ｂの延長線と、ブロック２０ａの、隣接する周溝２に臨む側縁とのなす角βの二等分線上に位置させることが好ましい。
なおここで、凹部２８ａ、２８ｂのそれぞれは、少なくともその一部分が、上述した各々の二等分線上に位置していればよい。
【００３５】
ところで、図５（ｂ）に例示するように、ブロック３０ａに、湾曲する折れ曲がり部３７ａの相互を直線部３７ｂで連結してなる波線状のクローズドサイプ３７を形成した場合には、上述した「折れ曲がり角の二等分線」は、折れ曲がり部３７ａの両側の前記直線部３７ｂのそれぞれの延長線どうしの交角における二等分線をいうものとする。
【００３６】
一方、図５（ｃ）に例示するような正弦波形状のクローズドサイプ４７のように、折れ曲がり部４７ａを隔てる直線部が存在しない場合は、折れ曲がり部４７ａを隔てて隣接するそれぞれの反曲点を通る接線どうしの交角における二等分線を、上記の「折れ曲がり角の二等分線」とする。
また、この場合において、クローズドサイプ４７の端部位置で凹部４８ｂを形成するときは、「クローズドサイプの端部の延長線」とは、クローズドサイプ４７の端点を通る接線をいうものとする。
【実施例】
【００３７】
いずれもタイヤサイズが１１Ｒ２２．５の実施例タイヤおよび従来例タイヤを試作し、それらの、氷雪路面での駆動性能を評価したので、以下に説明する。
実施例タイヤ１は、図４に示すように、トレッド踏面において、周溝と横溝により画成されるブロックに、ジグザグ状のクローズドサイプを設け、また、クローズドサイプの折れ曲がり部の谷部側で、該折れ曲がり部の折れ曲がり角の二等分線上に、凹部を配置するものとした。
また、実施例タイヤ２は、図６に示すように、ブロックに設けた凹部を、クローズドサイプの折れ曲がり部の谷部側で、該折れ曲がり部の折れ曲がり角の二等分線上から外れる位置に配置したことを除いて、実施例タイヤ１と同様の構成を有するものとした。
【００３８】
従来例タイヤ１は、ブロックに、凹部を設けずに、一方側の周溝だけに開口する直線状サイプのみを形成した図７に示すトレッドパターンを有するものとし、また、従来例タイヤ２は、ブロックに、凹部を設けずに、実施例タイヤ１、２とは異なる形状の、折曲箇所の多いジグザグ状クローズドサイプのみを形成した図８に示すトレッドパターンを有するものとした。
【００３９】
これらの各供試タイヤを、幅７．５インチのリムに組付けるとともに、セミトレーラに装着させ、内圧９００ｋＰａの下、凍結路面上で発進させてから所定の速度に到達するまでに要した時間を測定し、従来例タイヤ１をコントロールとする指数値で評価した。その結果を表１に示す。
なお、表１に示す指数値は、値が大きいほど氷上性能に優れることを表す。
【００４０】
【表１】
0005898837.tif 000002
【００４１】
表１の結果から、実施例タイヤ１、２はともに、従来例タイヤ１、２のいずれにも比して指数値が大きいことから、この発明の空気入りタイヤによれば、凍結路面での駆動性能を有効に向上させ得ることが解かった。
【符号の説明】
【００４２】
１  トレッド踏面
２〜４  周溝
５、８、９、１２、１３  横溝
６  ショルダーブロック
７  ショルダーブロック列
８、９、１２、１３  横溝
１０、１４、２０、３０、４０  ブロック
１１、１５  ブロック列
１６  連結部
１７、２７、３７、４７  クローズドサイプ
１８、２８、３８、４８  凹部
Ｄ  凹部の深さ
Ｈ  ブロック高さ
Ｌ  凹部の周方向長さ
ｄ  離隔距離
【図１】
0005898837.tif 000003
【図２】
0005898837.tif 000004
【図３】
0005898837.tif 000005
【図４】
0005898837.tif 000006
【図５】
0005898837.tif 000007
【図６】
0005898837.tif 000008
【図７】
0005898837.tif 000009
【図８】
0005898837.tif 000010